(57)【要約】【課題】リヤサスダンパ２の上端をリヤサイドフレーム１９０に連結できるとともに、リヤサスダンパ２の支持剛性を向上できる車両１の後部車体構造を提供することを目的とする。【解決手段】リヤサスダンパ２の上端が連結される左右一対のリヤサイドフレーム１９０を備えた車両１の後部車体構造であって、リヤサイドフレーム１９０が、左右一対のサイドシル１１０よりも車両後方上方の所望位置において、リヤサスダンパ２を支持するダンパ支持部材２４０と、サイドシル１１０から車両後方上方へ延びるとともに、上端にダンパ支持部材２４０が配設された傾斜フレーム部１９１と、傾斜フレーム部１９１に連結されるとともに、車両後方に延びる左右一対の水平フレーム部１９２とで構成され、ダンパ支持部材２４０よりも車両後方の水平フレーム部１９２とダンパ支持部材２４０とを連結する左右一対の第１補強フレーム２９０を備えたことを特徴とする。【選択図】図２
2019123456.tif 000002
【特許請求の範囲】
【請求項１】
車両の車体後部に配設されるとともに、左右のリヤサスダンパの上端が連結される左右一対のリヤサイドフレームを備えた車両の後部車体構造であって、
前記リヤサイドフレームが、
左右一対のサイドシルの後部よりも車両後方上方の所望位置において、前記リヤサスダンパの上端を支持するダンパ支持部と、
前記サイドシルの後部から車両後方、かつ車両上方へ延びるとともに、上端に前記ダンパ支持部が配設された傾斜フレーム部と、
該傾斜フレーム部の上端と下端との間に前端が連結されるとともに、車両後方、かつ略水平へ向けて延びる左右一対の水平フレーム部とで構成され、
前記ダンパ支持部よりも車両後方の前記水平フレーム部と前記ダンパ支持部とを連結する左右一対の補強フレームを備えた
車両の後部車体構造。
【請求項２】
左右の前記ダンパ支持部を車幅方向に連結するクロスメンバを備えた
請求項１に記載の車両の後部車体構造。
【請求項３】
前記リヤサイドフレームの前記水平フレーム部よりも車両下方に、ロアアームを揺動自在に支持するロアアーム支持部を備え、
前記補強フレームが、
前記水平フレーム部を介して、前記ダンパ支持部と前記ロアアーム支持部とを連結する構成である
請求項１または請求項２に記載の車両の後部車体構造。
【請求項４】
前記補強フレームを、第１補強フレームとして、
該第１補強フレームが、
前記水平フレーム部を介して、前記ダンパ支持部と前記ロアアーム支持部の後部とを連結するよう構成され、
前記傾斜フレーム部、及び前記水平フレーム部の連結箇所近傍と前記ロアアーム支持部の前部とを連結する第２補強フレームを備えた
請求項３に記載の車両の後部車体構造。
【請求項５】
前記リヤサイドフレームが、
前記水平フレーム部の前端に配設されるとともに、アッパアームを揺動自在に支持するアッパアーム支持部を備えた
請求項１から請求項４のいずれか１つに記載の車両の後部車体構造。
【発明の詳細な説明】
【技術分野】
【０００１】
この発明は、例えば車両の後部車体が、フレーム部材を組付けて構成されたスペースフレーム構造のような車両の後部車体構造に関する。
【背景技術】
【０００２】
自動車などの車両には、例えば、路面の凹凸に応じて伸縮することで、車体の上下動を抑制して、乗員に対する乗り心地を確保するリヤサスダンパが設けられている。このリヤサスダンパは、後輪を介して入力された荷重が、その上端に作用するため、車体の高剛性部位に上端を連結して、支持剛性を確保する必要があった。
【０００３】
例えば、特許文献１には、車両前後方向に延びるリヤサイドフレーム（リヤサイドメンバ１０）の上面に、補強フレーム（リヤショックアブソーバマウンティング補強メンバ３０）を備えたスペースフレーム構造の車両において、リヤサイドフレーム（リヤサイドメンバ１０）と補強フレーム（リヤショックアブソーバマウンティング補強メンバ３０）との連結部分に、リヤサスダンパの上端が連結される車両の後部車体構造が記載されている。このように、車両の車体を構成する骨格部材であるリヤサイドフレームにリヤサスダンパを連結することで、引用文献１は、リヤサスダンパの支持剛性を確保している。
【０００４】
ところで、リヤサスダンパは、車両上下方向への伸縮性を確保するため、その上端が車両上下方向の高い位置に配設され易い。このため、リヤサスダンパをリヤサイドフレームに連結する場合、リヤサイドフレームの位置も車両上方に位置することになる。
【０００５】
しかしながら、一般的に、リヤサイドフレームの後端には、後突時の衝突荷重を吸収する衝突荷重吸収部材として、車両前後方向に延びるクラッシュカン、及びクラッシュカンの後端を車幅方向に連結するリヤバンパレインフォースメントが連結されている。
【０００６】
このため、車両前後方向に延びるリヤサイドフレームの位置をリヤサスダンパに合わせて決定すると、車両上下方向におけるクラッシュカン、及びリヤバンパレインフォースメントの位置が、衝突安全性の確保できる所望位置よりも車両上方の位置となるおそれがある。
【０００７】
このように、リヤサスダンパの支持剛性を確保するために、車両前後方向に延びるリヤサイドフレームにリヤサスダンパの上端を連結した場合、衝突安全性の観点から好ましくない位置に、クラッシュカン、及びリヤバンパレインフォースメントが配設されるという問題があった。
そこで、衝突安全性を確保するために、リヤサイドフレーム以外の部位にリヤサスダンパの上端を連結した場合、リヤサスダンパの支持剛性が、リヤサイドフレームにリヤサスダンパの上端を連結した場合に比べて低下するおそれがあった。
【先行技術文献】
【特許文献】
【０００８】
【特許文献１】特開２０１６−２２２２２３号公報
【発明の概要】
【発明が解決しようとする課題】
【０００９】
本発明は、上述した問題に鑑み、リヤサスダンパの上端をリヤサイドフレームに連結できるとともに、リヤサスダンパの支持剛性を向上できる車両の後部車体構造を提供することを目的とする。
【課題を解決するための手段】
【００１０】
この発明は、車両の車体後部に配設されるとともに、左右のリヤサスダンパの上端が連結される左右一対のリヤサイドフレームを備えた車両の後部車体構造であって、前記リヤサイドフレームが、左右一対のサイドシルの後部よりも車両後方上方の所望位置において、前記リヤサスダンパの上端を支持するダンパ支持部と、前記サイドシルの後部から車両後方、かつ車両上方へ延びるとともに、上端に前記ダンパ支持部が配設された傾斜フレーム部と、該傾斜フレーム部の上端と下端との間に前端が連結されるとともに、車両後方、かつ略水平へ向けて延びる左右一対の水平フレーム部とで構成され、前記ダンパ支持部よりも車両後方の前記水平フレーム部と前記ダンパ支持部とを連結する左右一対の補強フレームを備えたことを特徴とする。
【００１１】
この発明により、車両の後部車体構造は、リヤサスダンパの上端をリヤサイドフレームに連結できるとともに、リヤサスダンパの支持剛性を向上することができる。  
具体的には、傾斜フレーム部と水平フレーム部とでリヤサイドフレームを構成したことより、車両の後部車体構造は、リヤサイドフレームにリヤサスダンパを連結できる一方で、衝突安全性の確保できる車両上下方向の所望位置に配設したクラッシュカンやリヤバンパレインフォースメントと、リヤサイドフレームとを連結することができる。
【００１２】
さらに、車両の後部車体構造は、傾斜フレーム部と、水平フレーム部と、補強フレームとで構成された側面視略三角形を形成することができる。すなわち、車両の後部車体構造は、傾斜フレーム部と水平フレーム部と補強フレームとで、後部車体の下部にトラス構造を構成することができる。このため、車両の後部車体構造は、傾斜フレーム部と、水平フレーム部と、補強フレームとの協働によって、後部車体における剛性を向上することができる。
【００１３】
加えて、リヤサスダンパを介した荷重がダンパ支持部に作用した際、車両の後部車体構造は、ダンパ支持部に作用する荷重のうち、車両前後方向の荷重成分、及び車両上下方向、特に車両上方への荷重成分を、傾斜フレーム部と補強フレームとに分散伝達させることができる。
【００１４】
この際、車両の後部車体構造は、例えば、傾斜フレーム部に伝達された荷重を、サイドシルを介してさらに車両前方へ伝達させるとともに、補強フレームに伝達された荷重を、水平フレーム部を介してさらに車両後方へ伝達させることができる。
【００１５】
これにより、車両の後部車体構造は、リヤサスダンパを介した荷重がダンパ支持部に作用した際、車両前後方向、及び車両上下方向へのダンパ支持部の変位を抑えることができる。このため、車両の後部車体構造は、傾斜フレーム部と、水平フレーム部と、補強フレームとの協働によって、ダンパ支持部の支持剛性を向上することができる。  
従って、車両の後部車体構造は、衝突安全性を損なうことなく、リヤサスダンパの上端をリヤサイドフレームに連結できるとともに、リヤサスダンパの支持剛性を向上することができる。
【００１６】
この発明の態様として、左右の前記ダンパ支持部を車幅方向に連結するクロスメンバを備えてもよい。  
この発明により、車両の後部車体構造は、ダンパ支持部に作用する荷重のうち、車幅方向の荷重成分を、クロスメンバを介して車幅方向の他方へ伝達分散することができる。このため、車両の後部車体構造は、リヤサスダンパを介した荷重がダンパ支持部に作用した際、車幅方向へのダンパ支持部の変位を抑えることができる。
【００１７】
これにより、車両の後部車体構造は、傾斜フレーム部と、水平フレーム部と、補強フレームと、クロスメンバとの協働によって、後部車体における剛性、及びダンパ支持部の支持剛性をより向上することができる。  
従って、車両の後部車体構造は、左右のダンパ支持部を連結するクロスメンバによって、リヤサスダンパの支持剛性をより向上することができる。
【００１８】
またこの発明の態様として、前記リヤサイドフレームの前記水平フレーム部よりも車両下方に、ロアアームを揺動自在に支持するロアアーム支持部を備え、前記補強フレームが、前記水平フレーム部を介して、前記ダンパ支持部と前記ロアアーム支持部とを連結する構成としてもよい。
【００１９】
この発明により、車両の後部車体構造は、ロアアームを介してロアアーム支持部に作用する荷重を、補強フレームを介してリヤサイドフレームに伝達することができる。この際、車両の後部車体構造は、ロアアーム支持部に作用する荷重を、傾斜フレーム部と水平フレーム部とに分散して伝達させることができる。
【００２０】
これにより、車両の後部車体構造は、ダンパ支持部、及びロアアーム支持部にそれぞれ荷重が作用した際、ダンパ支持部の変位、及びロアアーム支持部の変位を抑えることができる。  
従って、車両の後部車体構造は、ダンパ支持部とロアアーム支持部とを連結する補強フレームにより、リヤサスダンパの支持剛性と、ロアアームの支持剛性とを両立して向上することができる。
【００２１】
またこの発明の態様として、前記補強フレームを、第１補強フレームとして、該第１補強フレームが、前記水平フレーム部を介して、前記ダンパ支持部と前記ロアアーム支持部の後部とを連結するよう構成され、前記傾斜フレーム部、及び前記水平フレーム部の連結箇所近傍と前記ロアアーム支持部の前部とを連結する第２補強フレームを備えてもよい。
【００２２】
この発明により、車両の後部車体構造は、傾斜フレーム部と、第１補強フレームと、第２補強フレームと、ロアアーム支持部とで構成された側面視略三角形状を形成することができる。すなわち、車両の後部車体構造は、傾斜フレーム部と水平フレーム部と第１補強フレームとで構成されたトラス構造に加えて、傾斜フレーム部と第１補強フレームと第２補強フレームとロアアーム支持部とで、後部車体の下部にトラス構造を構成することができる。
【００２３】
このため、車両の後部車体構造は、傾斜フレーム部と、水平フレーム部と、第１補強フレームと、第２補強フレームと、ロアアーム支持部との協働によって、後部車体における剛性をより確実に向上することができる。
【００２４】
さらに、車両の後部車体構造は、ロアアーム支持部に作用する荷重のうち、車両上下方向の荷重成分、及び車両前後方向の荷重成分を、第１補強フレーム、第２補強フレームを介して、リヤサイドフレームに分散伝達させることができる。
【００２５】
これにより、車両の後部車体構造は、ダンパ支持部、及びロアアーム支持部にそれぞれ荷重が作用した際、車両上下方向、及び車両前後方向へのダンパ支持部の変位、及びロアアーム支持部の変位をより抑えることができる。
【００２６】
このため、車両の後部車体構造は、傾斜フレーム部と、水平フレーム部と、第１補強フレームと、第２補強フレームと、ロアアーム支持部との協働によって、ダンパ支持部の支持剛性、及びロアアーム支持部の支持剛性をより確実に向上することができる。  
従って、車両の後部車体構造は、ロアアーム支持部に連結される第１補強フレーム、及び第２補強フレームによって、リヤサスダンパの支持剛性、及びロアアームの支持剛性をさらに向上することができる。
【００２７】
またこの発明の態様として、前記リヤサイドフレームが、前記水平フレーム部の前端に配設されるとともに、アッパアームを揺動自在に支持するアッパアーム支持部を備えてもよい。  
この発明により、車両の後部車体構造は、リヤサスダンパだけでなく、アッパアームもリヤサイドフレームに直接的に連結することができる。
【００２８】
さらに、比較的剛性の高い傾斜フレーム部と水平フレーム部との連結部分、すなわち、側面視略三角形のトラス構造における頂部に、アッパアーム支持部が配置されるため、車両の後部車体構造は、アッパアーム支持部の支持剛性を向上することができる。  
加えて、アッパアームを介した荷重がアッパアーム支持部に作用した際、車両の後部車体構造は、アッパアーム支持部に作用する荷重を、リヤサイドフレームを介して車両前方、及び車両後方に分散伝達することができる。
【００２９】
これにより、車両の後部車体構造は、ダンパ支持部、及びアッパアーム支持部にそれぞれ荷重が作用した際、ダンパ支持部の変位、及びアッパアーム支持部の変位を抑えることができる。このため、車両の後部車体構造は、傾斜フレーム部と、水平フレーム部と、補強フレームとの協働によって、アッパアーム支持部の支持剛性を向上することができる。  
従って、車両の後部車体構造は、水平フレーム部の前端にアッパアーム支持部を備えたことにより、リヤサスダンパの支持剛性、及びアッパアームの支持剛性を向上することができる。
【発明の効果】
【００３０】
本発明より、リヤサスダンパの上端をリヤサイドフレームに連結できるとともに、リヤサスダンパの支持剛性を向上できる車両の後部車体構造を提供することができる。
【図面の簡単な説明】
【００３１】
【図１】車両における車両前方上方視の外観を示す外観斜視図。
【図２】車両の後部車体における左側面を示す左側面図。
【図３】車両の後部車体における背面を示す背面図。
【図４】車両の後部車体における底面を示す底面図。
【図５】図１中のＡ−Ａ矢視断面図。
【図６】車両の後部車体における平面を示す平面図。
【図７】図３中のＢ−Ｂ矢視断面図。
【発明を実施するための形態】
【００３２】
この発明の一実施形態を以下図面と共に説明する。  
本実施形態の車両１の後部車体構造は、押出成形されたアルミ合金製の複数のフレームを連結して車体骨格をなす、所謂、スペースフレーム構造である。このような車両１の後部車体構造について、図１から図７を用いて説明する。
【００３３】
なお、図１は車両１における車両前方上方視の外観斜視図を示し、図２は車両１の後部車体における左側面図を示し、図３は車両１の後部車体における背面図を示し、図４は車両１の後部車体における底面図を示し、図５は図１中のＡ−Ａ矢視断面図を示し、図６は車両１の後部車体における平面図を示し、図７は図３中のＢ−Ｂ矢視断面図を示している。
【００３４】
また、図示を明確にするため、図１中において、車両右側のリヤサスダンパ２、アッパアーム３、及びロアアーム４の図示を省略するとともに、図４中において、左右のフロアパネル１３０の図示を省略している。さらに、図６中において、センターピラー１６０のピラー上部フレーム１６２、ピラー補強フレーム１６３、及びリヤピラー２００の図示を省略するとともに、図７中においてロアアーム支持部材２６０の詳細な図示を省略している。
【００３５】
また、図中において、矢印Ｆｒ及びＲｒは前後方向を示しており、矢印Ｆｒは前方を示し、矢印Ｒｒは後方を示している。さらに、矢印Ｒｈ及びＬｈは幅方向を示しており、矢印Ｒｈは右方向を示し、矢印Ｌｈは左方向を示し、車幅方向における車室内側を車幅方向内側とし、車幅方向における車両外側を車幅方向外側とする。
【００３６】
本実施形態における車両１の車体構造は、図１から図３に示すように、車幅方向に所定間隔を隔てた位置で、車両前後方向に延びる左右一対のサイドシル１１０と、左右のサイドシル１１０における車幅方向略中央に配設されたフロアトンネル１２０と、サイドシル１１０、及びフロアトンネル１２０の間に配設された左右のフロアパネル１３０と、サイドシル１１０よりも車両上方で、車両前後方向に延びる左右一対のルーフサイドレール１４０と、左右のルーフサイドレール１４０を車幅方向に連結するフロントヘッダ１５０と、サイドシル１１０及びルーフサイドレール１４０を連結するセンターピラー１６０と、左右のセンターピラー１６０を車幅方向に連結するルーフレインフォースメント１７０とを備えている。
【００３７】
さらに、車両１の車体構造は、図１から図３に示すように、サイドシル１１０、及びフロアトンネル１２０を車幅方向に連結する左右一対のフロアクロスメンバ１８０と、サイドシル１１０の後端から車両後方に延びる左右一対のリヤサイドフレーム１９０と、リヤサイドフレーム１９０の車両上方で車両前後方向に延びるリヤピラー２００と、左右のリヤピラー２００を車幅方向に連結するリヤヘッダ２１０と、左右のセンターピラー１６０を車幅方向に連結する第１クロスメンバ２２０と、左右のリヤサイドフレーム１９０を車幅方向に連結する第２クロスメンバ２３０とを備えている。
【００３８】
加えて、車両１の車体構造は、図１及び図２に示すように、ダブルウィッシュボーン式リヤサスペンションのリヤサスダンパ２、アッパアーム３、及びロアアーム４を所望位置で支持可能に構成されている。
【００３９】
具体的には、車両１の車体構造は、図１及び図２に示すように、リヤサスダンパ２の上端を揺動可能に支持する左右一対のダンパ支持部材２４０と、リヤサスダンパ２よりも車両前方に配設されたアッパアーム３を揺動可能に支持する左右一対のアッパアーム支持部材２５０と、リヤサスダンパ２の下端が連結されるロアアーム４を揺動可能に支持する左右一対のロアアーム支持部材２６０とが、それぞれ所望位置に配設されている。
【００４０】
そして、車両１の車体構造は、図１から図４に示すように、左右のロアアーム支持部材２６０を連結する後側クロスメンバ２７０、及び前側クロスメンバ２８０と（図４参照）、ダンパ支持部材２４０、ロアアーム支持部材２６０、及びアッパアーム支持部材２５０を所望位置で支持するとともに、ダンパ支持部材２４０、ロアアーム支持部材２６０、及びアッパアーム支持部材２５０の支持剛性を向上するための第１補強フレーム２９０、第２補強フレーム３００、第３補強フレーム３１０、及び第４補強フレーム３２０とを備えている。
【００４１】
なお、車両１の車体構造は、左右一対のサイドシル１１０、フロアトンネル１２０、左右のフロアパネル１３０、左右一対のルーフサイドレール１４０、センターピラー１６０、フロントヘッダ１５０、ルーフレインフォースメント１７０、及びフロアクロスメンバ１８０で、車両１における車室を構成している。
【００４２】
上述した各構成要素について、詳述すると、左右一対のサイドシル１１０は、図１及び図２に示すように、押出成形されたアルミ合金製の押出し部材であって、車幅方向の長さに対して車両上下の長さが長い略矩形の閉断面を、車両前後方向に延設した略筒状体に形成されている。
【００４３】
さらに、サイドシル１１０は、図２に示すように、側面視において、後端近傍の下面が、車両前方から車両後方へかけて車両上方へ傾斜した形状に形成されている。なお、詳細な図示を省略するが、サイドシル１１０は、車幅方向に沿った断面における断面形状が、複数の区画に区切られた内部空間を有する断面形状に形成されている。
【００４４】
また、フロアトンネル１２０は、図３及び図５に示すように、車両下方が開口した背面視略門型形状であって、フロアトンネル１２０における上面部分をなす左右一対のトンネルフレーム１２１と、フロアトンネル１２０における車幅方向の側面をなす左右一対の側面パネル部材１２２とで構成されている。
【００４５】
トンネルフレーム１２１は、図５に示すように、押出成形されたアルミ合金製の押出し部材であって、略矩形の閉断面を車両前後方向に延設した略筒状体に形成されている。この左右のトンネルフレーム１２１は、車幅方向に並置した状態で接合して一体化されている。
【００４６】
側面パネル部材１２２は、図５に示すように、車幅方向に厚みを有するアルミ合金製の板状材で形成されている。より詳しくは、側面パネル部材１２２は、図５に示すように、車幅方向に沿った縦断面において、トンネルフレーム１２１における車幅方向の側面に当接する上側接合面部１２２ａと、上側接合面部１２２ａから車幅方向外側かつ車両下方へ延設した傾斜面部１２２ｂと、傾斜面部１２２ｂの下端から略車両下方へ延設した側面部１２２ｃと、側面部１２２ｃの下端をさらに車両下方へ延設した下側接合面部１２２ｄとで一体形成されている。
【００４７】
このフロアトンネル１２０の側面パネル部材１２２は、図１及び図５に示すように、上側接合面部１２２ａがトンネルフレーム１２１における車幅方向の側面に接合され、下側接合面部１２２ｄが、フロアトンネル１２０における車幅方向の両側に配設された左右一対のトンネルサイドフレーム１２３に接合されている。
【００４８】
このトンネルサイドフレーム１２３は、図１及び図５に示すように、押出成形されたアルミ合金製の押出し部材であって、車両上下方向の長さに対して車幅方向の長さが長い略矩形の閉断面を車両前後方向に延設した略筒状体に形成されている。
【００４９】
さらに、トンネルサイドフレーム１２３には、フロアトンネル１２０の側面パネル部材１２２における下側接合面部１２２ｄが接合される接合部分として、車幅方向内側の側面を車両上方へ延設した接合フランジ部１２３ａが一体形成されている。なお、トンネルサイドフレーム１２３の後端は、後述するフロアクロスメンバ１８０の前部に接合されている。
【００５０】
また、左右のフロアパネル１３０は、図１に示すように、サイドシル１１０とトンネルサイドフレーム１２３との間に配設され、車両１における車室の床面をなす凹形状に形成されている。このフロアパネル１３０は、図１及び図５に示すように、車幅方向外側の縁端がサイドシル１１０における車幅方向内側の側面に接合され、車幅方向内側の縁端がトンネルサイドフレーム１２３の上面に接合されている。  
さらに、フロアパネル１３０は、車両後方の縁端が後述するフロアクロスメンバ１８０に接合され、車両前方の縁端が図示を省略した車両前方側のクロスメンバに接合されている。
【００５１】
また、ルーフサイドレール１４０は、図１及び図３に示すように、押出成形されたアルミ合金製の押出し部材であって、サイドシル１１０よりも車両上方、かつ僅かに車幅方向内側に配設されている。このルーフサイドレール１４０は、略矩形の閉断面を車両前方へ延設したのち、湾曲するように車両前方下方へ向けて延設した略筒状体に形成されている。なお、ルーフサイドレール１４０における車両前方下方へ向けて延設された部分は、車両１におけるフロントピラーとして形成されている。
【００５２】
また、フロントヘッダ１５０は、図１に示すように、ルーフサイドレール１４０における車両前後方向に延設された部分の前端近傍を車幅方向に連結している。このフロントヘッダ１５０は、略矩形の閉断面を車幅方向に延設した形状に形成されている。
【００５３】
また、センターピラー１６０は、図２に示すように、側面視において、サイドシル１１０の上面から車両後方上方へ延びるピラー下部フレーム１６１と、ピラー下部フレーム１６１から車両前方上方へ延びるピラー上部フレーム１６２と、ピラー上部フレーム１６２、及びピラー下部フレーム１６１を連結するピラー補強フレーム１６３とを一体的に接合して構成されている。
【００５４】
ピラー下部フレーム１６１は、図１から図３に示すように、押出成形されたアルミ合金製の押出し部材であって、内部空間を隔てる隔壁を内部に有する略台形状の閉断面を所定方向に延設した略筒状体に形成されている。
【００５５】
なお、ピラー下部フレーム１６１は、ピラー上部フレーム１６２が接合された状態において、ピラー上部フレーム１６２との接合箇所よりも車両上方に上端が位置する所定方向の長さで形成されている。このピラー上部フレーム１６２との接合箇所よりも車両上方の部分を、ピラー下部フレーム１６１の延長部分１６１ａとする（図２参照）。
【００５６】
このようなピラー下部フレーム１６１は、図２及び図３に示すように、所定方向における一端を下端として、略台形状の閉断面における短辺側が車幅方向外側に位置する状態で、下端に対して上端が車両後方、かつ車幅方向内側に位置するように車両１の車体に配設されている。そして、ピラー下部フレーム１６１は、その下端がサイドシル１１０の上面に接合されている。
【００５７】
ピラー上部フレーム１６２は、図１から図３に示すように、押出成形されたアルミ合金製の押出し部材であって、略三角形状の閉断面を緩やかに湾曲させながら所定方向に延設した略筒状体に形成されている。なお、ピラー上部フレーム１６２における略三角形状の閉断面は、ピラー下部フレーム１６１における略台形状の閉断面の断面積よりも小さい断面積で形成されている。
【００５８】
このピラー上部フレーム１６２は、図２及び図３に示すように、所定方向における一端を下端として、略三角形状の閉断面における頂部が車幅方向外側に位置する状態で、下端に対して上端が車両前方上方、かつ車幅方向内側に位置するように車両１の車体に配設されている。
【００５９】
そして、ピラー上部フレーム１６２は、図２に示すように、その下端がセンターピラー１６０における車両上下方向の略中央近傍よりも車両下方の位置で、ピラー下部フレーム１６１の前面に接合され、上端にルーフサイドレール１４０の後端が接合されている。
【００６０】
ピラー補強フレーム１６３は、図２に示すように、ピラー下部フレーム１６１とピラー上部フレーム１６２との接合部分よりも車両上方において、ピラー下部フレーム１６１の前面とピラー上部フレーム１６２の背面とを車両前後方向に連結している。
【００６１】
より詳しくは、ピラー補強フレーム１６３は、押出成形されたアルミ合金製の押出し部材であって、略矩形の閉断面を車両前後方向に延設した筒状体に形成されている。なお、ピラー補強フレーム１６３における略矩形の閉断面は、ピラー上部フレーム１６２における略三角形の閉断面の断面積よりも小さい断面積で形成されている。
【００６２】
そして、ピラー補強フレーム１６３は、ピラー下部フレーム１６１の延長部分１６１ａにおける車両上下方向略中央の位置で、ピラー下部フレーム１６１の延長部分１６１ａとピラー上部フレーム１６２とに接合されている。
【００６３】
また、ルーフレインフォースメント１７０は、図１及び図２に示すように、左右のセンターピラー１６０の上端を、ルーフ連結部材１７１を介して車幅方向に連結している。このルーフレインフォースメント１７０は、車両前後方向に沿った縦断面における断面形状が、車両下方が短辺の略逆台形状に形成されている（図７参照）。
【００６４】
なお、ルーフ連結部材１７１は、図７に示すように、側面視略Ｔ字状であって、ルーフレインフォースメント１７０に接合されるとともに、センターピラー１６０の上端、ルーフサイドレール１４０の後端、及びリヤピラー２００の前端に接合されている。
【００６５】
また、フロアクロスメンバ１８０は、図１、図４、及び図７に示すように、押出成形されたアルミ合金製の押出し部材であって、サイドシル１１０の後端下部と、フロアトンネル１２０の後端下部とを車幅方向に連結している。
【００６６】
このフロアクロスメンバ１８０は、図６及び図７に示すように、側面視において、側面視略矩形の閉断面形状における前面部分を、車両前方下方へ延設したような側面視略多角形状の閉断面形状に形成されている。
【００６７】
そして、フロアクロスメンバ１８０は、車幅方向の両端が、それぞれサイドシル１１０、及びフロアトンネル１２０に接合されている。  
さらに、フロアクロスメンバ１８０は、側面視において、前方下部を車両前方へ略平板状に延設した部分に、トンネルサイドフレーム１２３の後端が載置されるとともに、接合されている。
【００６８】
また、左右一対のリヤサイドフレーム１９０は、図２に示すように、サイドシル１１０の後端に下端が接合された傾斜フレーム部１９１と、前端が傾斜フレーム部１９１に接合された水平フレーム部１９２と、後ほど詳述するダンパ支持部材２４０、及びアッパアーム支持部材２５０とで構成されている。
【００６９】
傾斜フレーム部１９１は、図１及び図２に示すように、サイドシル１１０の後端よりも車両上方、かつ車幅方向内側の所望位置に配設されたダンパ支持部材２４０と、サイドシル１１０の後端とを連結している。なお、ダンパ支持部材２４０については、後ほど詳述する。  
より詳しくは、傾斜フレーム部１９１は、押出成形されたアルミ合金製の押出し部材であって、略矩形の閉断面を所定方向に延設した略筒状体に形成されている。
【００７０】
この傾斜フレーム部１９１は、図２及び図３に示すように、所定方向における一端を下端として、下端に対して上端が車両後方上方、かつ車幅方向内側に位置する状態で車体に配設されている。  
そして、傾斜フレーム部１９１は、その下端がサイドシル１１０における車幅方向内側の側面後部に接合され、上端が所定位置に配設されたダンパ支持部材２４０に接合されている。
【００７１】
一方、水平フレーム部１９２は、図１及び図２に示すように、後述するロアアーム支持部材２６０よりも車両後方、かつ所望される車両上下方向の位置に配設された左右のリヤクラッシュカン１９３と、ダンパ支持部材２４０よりも車両前方下方の所望位置に配設されたアッパアーム支持部材２５０とを連結している。なお、リヤクラッシュカン１９３の後端には、図２に示すように、左右のリヤクラッシュカン１９３を車幅方向に連結するリヤバンパレインフォースメント１９４が連結されているものとする。
【００７２】
より詳しくは、水平フレーム部１９２は、押出成形されたアルミ合金製の押出し部材であって、略矩形の閉断面を車両前後方向に延設した筒状体に形成されている。なお、水平フレーム部１９２における略矩形の閉断面は、傾斜フレーム部１９１における略矩形の閉断面の断面積よりも小さい断面積に形成されている。
【００７３】
この水平フレーム部１９２は、図２及び図３に示すように、所望位置に配設されたリヤクラッシュカン１９３と略同じ車両上下方向の位置において、前端に対して後端が車幅方向内側に位置する状態で車体に配設されている。
【００７４】
そして、水平フレーム部１９２は、図２及び図３に示すように、傾斜フレーム部１９１における車両上下方向の略中央近傍に配設されたアッパアーム支持部材２５０に前端が接合され、後端がリヤクラッシュカン１９３に連結されている。
【００７５】
また、リヤピラー２００は、図２に示すように、センターピラー１６０におけるピラー上部フレーム１６２の上端と、リヤサイドフレーム１９０における傾斜フレーム部１９１の上端とを連結している。  
このリヤピラー２００は、押出成形されたアルミ合金製の押出し部材であって、略矩形の閉断面を湾曲させながら所定方向に延設した略筒状体に形成されている。
【００７６】
そして、リヤピラー２００は、図２に示すように、所定方向の一端を前端として、前端がピラー上部フレーム１６２の上端に接合され、後端が後述する第３補強フレーム３１０の上面に接合されている。
【００７７】
換言すると、リヤピラー２００は、ピラー上部フレーム１６２を介してルーフサイドレール１４０の後端に前端が連結され、第３補強フレーム３１０、及びダンパ支持部材２４０を介して傾斜フレーム部１９１の上端に後端が連結されている。
【００７８】
より詳しくは、リヤピラー２００は、図２に示すように、側面視において、ピラー上部フレーム１６２の上端に接合された前端から車両後方、かつ僅かに車両下方へ向けて略直線状に延設した前方直線部分２００ａと、前方直線部分２００ａの後端から車両後方下方に湾曲させて延設した湾曲部分２００ｂと、湾曲部分２００ｂの後端からダンパ支持部材２４０へ向けて略直線状に延びる後方直線部分２００ｃとで一体形成されている。
【００７９】
さらに、リヤピラー２００は、図３に示すように、背面視において、前方直線部分２００ａが前端から略車両後方へ向けて略直線状に延設した形状に形成され、湾曲部分２００ｂが車両後方下方、かつ車幅方向内側へ向けて湾曲した形状に形成され、後方直線部分２００ｃが前端から車幅方向内側へ向けて略直線状に延設した形状に形成されている。
【００８０】
なお、リヤピラー２００は、図２に示すように、側面視において、ピラー下部フレーム１６１を車両上方へ延長した仮想延長線と交差する部分の近傍に、湾曲部分が位置するよう形成されている。
【００８１】
また、リヤヘッダ２１０は、図１及び図２に示すように、側面視において、左右のリヤピラー２００における湾曲部分２００ｂを車幅方向に連結している。  
このリヤヘッダ２１０は、図２及び図３に示すように、車幅方向に延びるヘッダ本体２１１と、車両１における荷室開口の開口上縁をなすヘッダパネル２１２と、ヘッダ本体２１１、及びヘッダパネル２１２を一体的にリヤピラー２００に連結する左右一対のヘッダ連結部材２１３とで構成されている。  
なお、ヘッダ本体２１１は、図７に示すように、押出成形されたアルミ合金製の押出し部材であって、車両下方に頂部が位置する略三角形の閉断面を車幅方向に延設した略筒状体に形成されている。
【００８２】
また、第１クロスメンバ２２０は、図１及び図３に示すように、フロアトンネル１２０の上面と略同じ位置に車両上下方向略中央が位置する状態で、センターピラー１６０における左右のピラー下部フレーム１６１を車幅方向に連結している。
【００８３】
より詳しくは、第１クロスメンバ２２０は、図６及び図７に示すように、押出成形されたアルミ合金製の押出し部材であって、内部空間を車両上下に隔てる隔壁を有する断面略六角形状の閉断面を車幅方向に延設した略筒状体に形成されている。
【００８４】
そして、第１クロスメンバ２２０は、車幅方向の両端がそれぞれピラー下部フレーム１６１に接合され、車幅方向略中央が後述するトンネル連結部材１２４を介して、フロアトンネル１２０におけるトンネルフレーム１２１の上面に連結されている。なお、第１クロスメンバ２２０は、トンネル連結部材１２４に接合されているものする。
【００８５】
また、第２クロスメンバ２３０は、図３、図６、及び図７に示すように、左右のダンパ支持部材２４０、及び後述する第３補強フレーム３１０の後端を車幅方向に連結している。  
より詳しくは、第２クロスメンバ２３０は、図６及び図７に示すように、押出成形されたアルミ合金製の押出し部材であって、内部空間を車両上下に隔てる隔壁を有する略矩形の閉断面を車幅方向に延設した略筒状体に形成されている。
【００８６】
そして、第２クロスメンバ２３０は、車幅方向の両端がそれぞれダンパ支持部材２４０、及び第３補強フレーム３１０の後端に跨って接合されている。換言すると、第２クロスメンバ２３０は、ダンパ支持部材２４０を介して、リヤサイドフレーム１９０における傾斜フレーム部１９１の上端を車幅方向に連結している。
【００８７】
また、左右一対のダンパ支持部材２４０は、図１から図３に示すように、傾斜フレーム部１９１と、第２クロスメンバ２３０と、後述する第１補強フレーム２９０と、第３補強フレーム３１０とを連結する連結部材として構成されるとともに、車両前後方向を回転中心として、リヤサスダンパ２の上端を所望位置で揺動自在に支持可能に構成されている。なお、左右一対のダンパ支持部材２４０は、アルミダイキャスト製とする。
【００８８】
より詳しくは、ダンパ支持部材２４０は、図２に示すように、側面視において、水平フレーム部１９２における車両前後方向略中央に対して車両上方の所望位置に配設されている。  
このダンパ支持部材２４０は、図２に示すように、リヤサイドフレーム１９０における傾斜フレーム部１９１の上端が接合可能に形成された前面部分と、第２クロスメンバ２３０が接合可能に形成された車幅方向内側の側面部分と、第１補強フレーム２９０が接合可能に形成された後面部分と、第３補強フレーム３１０が接合可能に形成された上面部分と、リヤサスダンパ２の上端を揺動自在に支持可能に形成された車幅方向外側の側面部分とを有する側面視略矩形に形成されている。
【００８９】
また、左右一対のアッパアーム支持部材２５０は、図１から図３に示すように、傾斜フレーム部１９１と、水平フレーム部１９２と、後述する第２補強フレーム３００とを連結する連結部材として構成されるとともに、車両前後方向を回転中心として、アッパアーム３における車幅方向内側の一端を所望位置で揺動自在に支持可能に構成されている。なお、左右一対のアッパアーム支持部材２５０は、アルミダイキャスト製とする。
【００９０】
より詳しくは、アッパアーム支持部材２５０は、図２に示すように、リヤクラッシュカン１９３と略同じ車両上下方向において、ダンパ支持部材２４０に対して車両前方下方、かつ僅かに車幅方向内側の所望位置に配置されている。
【００９１】
このアッパアーム支持部材２５０は、図２に示すように、リヤサイドフレーム１９０における傾斜フレーム部１９１の下面が接合可能に形成された上面部分と、水平フレーム部１９２の前端が接合可能に形成された後面部分と、第２補強フレーム３００の上端が接合可能に形成された下面部分と、アッパアーム３を揺動自在に支持可能に形成された車幅方向外側の側面部分とを有する側面視略三角形状に形成されている。
【００９２】
また、左右一対のロアアーム支持部材２６０は、図１から図３に示すように、後述する第１補強フレーム２９０と、第２補強フレーム３００とを連結する連結部材として構成されるとともに、車両前後方向を回転中心として、平面視略Ａ字状のロアアーム４における車幅方向内側の端部を所望位置で揺動自在に支持可能に構成されている。なお、ロアアーム支持部材２６０は、アルミダイキャスト製とする。
【００９３】
このロアアーム支持部材２６０は、図３に示すように、背面視において、ルーフサイドレール１４０の後端とダンパ支持部材２４０とを結ぶ仮想直線（図示省略）を車両下方へ延長した延長線近傍の所望位置に配設されている。
【００９４】
より詳しくは、ロアアーム支持部材２６０は、図２及び図３に示すように、水平フレーム部１９２よりも車両下方、かつ車幅方向内側で、ダンパ支持部材２４０よりも車両後方に後端が位置する所望位置に配設されている。
【００９５】
このロアアーム支持部材２６０は、図１及び図２に示すように、第１補強フレーム２９０の下端、及び第２補強フレーム３００の下端が接合可能に形成された上面部分と、平面視略Ａ字状のロアアーム４における車両前方側の連結部分、及び車両後方側の連結部分をそれぞれ揺動自在に支持可能に構成された車幅方向外側の側面部分とを有する側面視略矩形に形成されている。
【００９６】
また、後側クロスメンバ２７０は、図４及び図７に示すように、押出成形されたアルミ合金製の押出し部材であって、車幅方向に延びるとともに、左右のロアアーム支持部材２６０における後方下部を車幅方向に連結している。
【００９７】
より詳しくは、後側クロスメンバ２７０は、図７に示すように、車両前後方向に沿った縦断面において、断面略多角形状の閉断面のメンバ後部２７１と、車両上下方向に厚みを有する略平板状のメンバ平板部２７２と、メンバ後部２７１よりも車両上下方向の長さが短い断面略多角形状の閉断面のメンバ前部２７３とを、車両後方からこの順番で連結した形状に形成されている。
【００９８】
なお、後側クロスメンバ２７０は、メンバ後部２７１、及びメンバ前部２７３がロアアーム支持部材２６０における車幅方向内側の側面に接合され、メンバ平板部２７２がロアアーム支持部材２６０の下面に接合されている。
【００９９】
また、前側クロスメンバ２８０は、図４及び図７に示すように、押出成形されたアルミ合金製の押出し部材であって、左右のロアアーム支持部材２６０における前方下部を車幅方向に連結している。  
より詳しくは、前側クロスメンバ２８０は、図７に示すように、車両上下方向の長さに対して車両前後方向の長さが長く、かつ内部空間を車両前後方向に隔てる２つの隔壁を有する略矩形の閉断面を、車幅方向に延設した略筒状体に形成されている。
【０１００】
この前側クロスメンバ２８０は、図４に示すように、ロアアーム支持部材２６０における前部の下面に締結固定された左右一対の後側メンバ連結部材２８１に接合されている。換言すると、前側クロスメンバ２８０は、後側メンバ連結部材２８１を介して、ロアアーム支持部材２６０を連結している。
【０１０１】
そして、前側クロスメンバ２８０は、図４に示すように、略車両前後方向に延びる左右一対の第１傾斜メンバ３３０を介して、後側クロスメンバ２７０に連結されるとともに、前側クロスメンバ２８０よりも車両前方で車幅方向に延びるサイドシル側クロスメンバ３４０に、左右一対の第２傾斜メンバ３５０、及び左右一対の第３傾斜メンバ３６０を介して連結されている。
【０１０２】
具体的には、第１傾斜メンバ３３０は、押出成形されたアルミ合金製の押出し部材であって、略矩形の閉断面を所定方向に延設した略筒状体に形成されている。この第１傾斜メンバ３３０は、図４に示すように、底面視において、所定方向の一端を前端として、前端に対して後端が車幅方向内側に位置する状態で車体に配設されている。
【０１０３】
そして、第１傾斜メンバ３３０は、前端が後側メンバ連結部材２８１に接合され、後端が後側クロスメンバ２７０における車幅方向の略中央近傍に接合されている。すなわち、第１傾斜メンバ３３０は、後側メンバ連結部材２８１を介して、前側クロスメンバ２８０に連結されている。
【０１０４】
サイドシル側クロスメンバ３４０は、図４及び図７に示すように、左右のサイドシル１１０の後端下面を車幅方向に連結している。  
より詳しくは、サイドシル側クロスメンバ３４０は、図４及び図７に示すように、押出成形されたアルミ合金製の押出し部材であって、前側クロスメンバ２８０における車幅方向の長さよりも長い車幅方向の長さで、略矩形の閉断面を車幅方向に延設した略筒状体に形成されている。
【０１０５】
そして、サイドシル側クロスメンバ３４０は、サイドシル１１０の後端下面に締結固定された左右一対の前側メンバ連結部材３４１に、車幅方向の両端が接合されている。つまり、サイドシル側クロスメンバ３４０は、前側メンバ連結部材３４１を介して、サイドシル１１０の後端下面を車幅方向に連結している。
【０１０６】
また、左右一対の第２傾斜メンバ３５０は、図４に示すように、底面視において、前側クロスメンバ２８０における車幅方向の両端と、サイドシル側クロスメンバ３４０における車幅方向の両端とを連結している。
【０１０７】
より詳しくは、第２傾斜メンバ３５０は、押出成形されたアルミ合金製の押出し部材であって、略矩形の閉断面を所定方向に延設した略筒状体に形成されている。この第２傾斜メンバ３５０は、図４に示すように、底面視において、所定方向の一端を前端として、前端に対して後端が車幅方向内側に位置する状態で車体に配設されている。
【０１０８】
そして、第２傾斜メンバ３５０は、前端が前側メンバ連結部材３４１に接合され、後端が後側メンバ連結部材２８１に接合されている。すなわち、第２傾斜メンバ３５０は、前側メンバ連結部材３４１を介して、サイドシル側クロスメンバ３４０に連結されるとともに、後側メンバ連結部材２８１を介して、前側クロスメンバ２８０に連結されている。
【０１０９】
また、左右一対の第３傾斜メンバ３６０は、図４に示すように、底面視において、前側クロスメンバ２８０における車幅方向の略中央近傍と、サイドシル側クロスメンバ３４０における車幅方向の両端とを連結している。
【０１１０】
より詳しくは、第３傾斜メンバ３６０は、押出成形されたアルミ合金製の押出し部材であって、略矩形の閉断面を所定方向に延設した略筒状体に形成されている。この第３傾斜メンバ３６０は、図４に示すように、底面視において、所定方向の一端を前端として、前端に対して後端が車幅方向外側に位置する状態で車体に配設されている。
【０１１１】
そして、第３傾斜メンバ３６０は、前端が前側メンバ連結部材３４１における車幅方向の略中央近傍に接合され、後端が後側メンバ連結部材２８１に接合されている。すなわち、第３傾斜メンバ３６０は、後側メンバ連結部材２８１を介して、前側クロスメンバ２８０に連結されている。
【０１１２】
また、左右一対の第１補強フレーム２９０は、図２及び図３に示すように、ダンパ支持部材２４０とロアアーム支持部材２６０とを略直線的に連結している。  
より詳しくは、第１補強フレーム２９０は、図２、図３、及び図６に示すように、押出成形されたアルミ合金製の押出し部材であって、略矩形の閉断面を所定方向に延設した筒状体に形成されている。
【０１１３】
この第１補強フレーム２９０は、図２及び図３に示すように、所定方向の一端を上端として、上端に対して下端が車両後方下方、かつ車幅方向内側に位置するとともに、水平フレーム部１９２の車幅方向内側をとおるように傾斜した状態で車体に配設されている。
【０１１４】
なお、第１補強フレーム２９０は、図３に示すように、背面視において、車幅方向外側から車幅方向内側へ向けて延びるリヤピラー２００と連続するように車幅方向内側に向けて傾斜した状態で配設されている。
【０１１５】
そして、第１補強フレーム２９０は、上端よりも僅かに車両下方の位置がダンパ支持部材２４０に接合され、下端がロアアーム支持部材２６０の後部上面に接合されるとともに、車幅方向外側の側面が水平フレーム部１９２における車幅方向内側の側面に接合されている。
【０１１６】
つまり、第１補強フレーム２９０は、その上端近傍がダンパ支持部材２４０を介して傾斜フレーム部１９１の上端に連結され、下端がロアアーム支持部材２６０に連結されるとともに、上端、及び下端の間が水平フレーム部１９２に連結されている。
【０１１７】
また、左右一対の第２補強フレーム３００は、図２及び図６に示すように、アッパアーム支持部材２５０とロアアーム支持部材２６０の前部とを略直線的に連結している。  
より詳しくは、第２補強フレーム３００は、押出成形されたアルミ合金製の押出し部材であって、略矩形の閉断面を所定方向に延設した筒状体に形成されている。
【０１１８】
この第２補強フレーム３００は、図２及び図６に示すように、所定方向における一端を上端として、上端に対して下端が車両前方下方、かつ車幅方向内側に位置するように傾斜した状態で車体に配設されている。  
そして、第２補強フレーム３００は、その上端がアッパアーム支持部材２５０における車幅方向内側に接合され、下端がロアアーム支持部材２６０の前部上面に接合されている。
【０１１９】
つまり、第２補強フレーム３００は、その上端がアッパアーム支持部材２５０を介して、傾斜フレーム部１９１と水平フレーム部１９２との連結部分に連結され、下端がロアアーム支持部材２６０に連結されている。
【０１２０】
また、左右一対の第３補強フレーム３１０は、図２に示すように、センターピラー１６０におけるピラー下部フレーム１６１の上端と第１補強フレーム２９０の上端とを略直線的に連結している。
【０１２１】
より詳しくは、第３補強フレーム３１０は、押出成形されたアルミ合金製の押出し部材であって、略矩形の閉断面を所定方向に延設した略筒状体に形成されている。この第３補強フレーム３１０は、図２及び図３に示すように、所定方向における一端を前端として、前端に対して後端が車両後方下方、かつ車幅方向内側に位置するように傾斜した状態で車体に配設されている。
【０１２２】
そして、第３補強フレーム３１０は、ピラー下部フレーム１６１の延長部分１６１ａにおける車幅方向内側の側面に接合されたピラー連結部材１６４に前端が接合され、後端がダンパ支持部材２４０の上面、及び第１補強フレーム２９０の前面に接合されている。さらに、第３補強フレーム３１０における後部上面には、リヤピラー２００の後端が接合されている。
【０１２３】
つまり、第３補強フレーム３１０は、その前端がピラー連結部材１６４を介してピラー下部フレーム１６１の上端に連結され、後端がダンパ支持部材２４０を介して傾斜フレーム部１９１の上端に連結されている。
【０１２４】
また、左右一対の第４補強フレーム３２０は、図２、図６、及び図７に示すように、フロアトンネル１２０の上面と第２クロスメンバ２３０の前面とを略直線的に連結している。  
より詳しくは、第４補強フレーム３２０は、押出成形されたアルミ合金製の押出し部材であって、略矩形の閉断面を所定方向に延設した略筒状体に形成されている。
【０１２５】
この第４補強フレーム３２０は、図６及び図７に示すように、所定方向の一端を前端として、前端に対して後端が車両後方上方、かつ車幅方向外側に位置する状態で車体に配設されている。  
そして、第４補強フレーム３２０は、フロアトンネル１２０の上面に接合されたトンネル連結部材１２４に前端が接合され、第２クロスメンバ２３０における車幅方向の両端よりもやや車両内側の前面に後端が接合されている。
【０１２６】
また、トンネル連結部材１２４は、図６及び図７に示すように、平面視において、車両前方が短辺の平面視略台形状で、車両下方が開口した略ボックス状に形成されている。このトンネル連結部材１２４は、左右の第４補強フレーム３２０における前端を一体的に連結可能に構成されている。
【０１２７】
なお、トンネル連結部材１２４は、図７に示すように、フロアトンネル１２０におけるトンネルフレーム１２１の上面に前端が接合され、第１クロスメンバ２２０の背面に後端が接合されている。
【０１２８】
以上のように、車両１の車体後部に配設されるとともに、左右のリヤサスダンパ２の上端が連結される左右一対のリヤサイドフレーム１９０を備えた車両１の後部車体構造は、リヤサイドフレーム１９０が、左右一対のサイドシル１１０の後部よりも車両後方上方の所望位置において、リヤサスダンパ２の上端を支持するダンパ支持部材２４０と、サイドシル１１０の後部から車両後方、かつ車両上方へ延びるとともに、上端にダンパ支持部材２４０が配設された傾斜フレーム部１９１と、傾斜フレーム部１９１の上端と下端との間に前端が連結されるとともに、車両後方、かつ略水平へ向けて延びる左右一対の水平フレーム部１９２とで構成され、ダンパ支持部材２４０よりも車両後方の水平フレーム部１９２とダンパ支持部材２４０とを連結する左右一対の第１補強フレーム２９０を備えたにより、リヤサスダンパ２の上端をリヤサイドフレーム１９０に連結できるとともに、リヤサスダンパ２の支持剛性を向上することができる。
【０１２９】
具体的には、傾斜フレーム部１９１と水平フレーム部１９２とでリヤサイドフレーム１９０を構成したことより、車両１の後部車体構造は、リヤサイドフレーム１９０にリヤサスダンパ２を連結できる一方で、衝突安全性の確保できる車両上下方向の所望位置に配設したリヤクラッシュカン１９３やリヤバンパレインフォースメント１９４と、リヤサイドフレーム１９０とを連結することができる。
【０１３０】
さらに、車両１の後部車体構造は、傾斜フレーム部１９１と、水平フレーム部１９２と、第１補強フレーム２９０とで構成された側面視略三角形を形成することができる。すなわち、車両１の後部車体構造は、傾斜フレーム部１９１と水平フレーム部１９２と第１補強フレーム２９０とで、後部車体の下部にトラス構造を構成することができる。このため、車両１の後部車体構造は、傾斜フレーム部１９１と、水平フレーム部１９２と、第１補強フレーム２９０との協働によって、後部車体における剛性を向上することができる。
【０１３１】
加えて、リヤサスダンパ２を介した荷重がダンパ支持部材２４０に作用した際、車両１の後部車体構造は、ダンパ支持部材２４０に作用する荷重のうち、車両前後方向の荷重成分、及び車両上下方向、特に車両上方への荷重成分を、傾斜フレーム部１９１と第１補強フレーム２９０とに分散伝達させることができる。
【０１３２】
この際、車両１の後部車体構造は、傾斜フレーム部１９１に伝達された荷重を、サイドシル１１０を介してさらに車両前方へ伝達させるとともに、第１補強フレーム２９０に伝達された荷重を、水平フレーム部１９２を介してさらに車両後方へ伝達させることができる。
【０１３３】
これにより、車両１の後部車体構造は、リヤサスダンパ２を介した荷重がダンパ支持部材２４０に作用した際、車両前後方向、及び車両上下方向へのダンパ支持部材２４０の変位を抑えることができる。
【０１３４】
このため、車両１の後部車体構造は、傾斜フレーム部１９１と、水平フレーム部１９２と、第１補強フレーム２９０との協働によって、ダンパ支持部材２４０の支持剛性を向上することができる。  
従って、車両１の後部車体構造は、衝突安全性を損なうことなく、リヤサスダンパ２の上端をリヤサイドフレーム１９０に連結できるとともに、リヤサスダンパ２の支持剛性を向上することができる。
【０１３５】
また、左右のダンパ支持部材２４０を車幅方向に連結する第２クロスメンバ２３０を備えたことにより、車両１の後部車体構造は、ダンパ支持部材２４０に作用する荷重のうち、車幅方向の荷重成分を、第２クロスメンバ２３０を介して車幅方向の他方へ伝達分散することができる。このため、車両１の後部車体構造は、リヤサスダンパ２を介した荷重がダンパ支持部材２４０に作用した際、車幅方向へのダンパ支持部材２４０の変位を抑えることができる。
【０１３６】
これにより、車両１の後部車体構造は、傾斜フレーム部１９１と、水平フレーム部１９２と、第１補強フレーム２９０と、第２クロスメンバ２３０との協働によって、後部車体における剛性、及びダンパ支持部材２４０の支持剛性をより向上することができる。  
従って、車両１の後部車体構造は、左右のダンパ支持部材２４０を連結する第２クロスメンバ２３０によって、リヤサスダンパ２の支持剛性をより向上することができる。
【０１３７】
また、リヤサイドフレーム１９０の水平フレーム部１９２よりも車両下方に、ロアアーム４を揺動自在に支持するロアアーム支持部材２６０を備え、第１補強フレーム２９０が、水平フレーム部１９２を介して、ダンパ支持部材２４０とロアアーム支持部材２６０とを連結する構成としたことにより、車両１の後部車体構造は、ロアアーム４を介してロアアーム支持部材２６０に作用する荷重を、第１補強フレーム２９０を介してリヤサイドフレーム１９０に伝達することができる。この際、車両１の後部車体構造は、ロアアーム支持部材２６０に作用する荷重を、傾斜フレーム部１９１と水平フレーム部１９２とに分散して伝達させることができる。
【０１３８】
これにより、車両１の後部車体構造は、ダンパ支持部材２４０、及びロアアーム支持部材２６０にそれぞれ荷重が作用した際、ダンパ支持部材２４０の変位、及びロアアーム支持部材２６０の変位を抑えることができる。  
従って、車両１の後部車体構造は、ダンパ支持部材２４０とロアアーム支持部材２６０とを連結する第１補強フレーム２９０により、リヤサスダンパ２の支持剛性と、ロアアーム４の支持剛性とを両立して向上することができる。
【０１３９】
また、第１補強フレーム２９０が、水平フレーム部１９２を介して、ダンパ支持部材２４０とロアアーム支持部材２６０の後部とを連結するよう構成され、傾斜フレーム部１９１、及び水平フレーム部１９２の連結箇所近傍とロアアーム支持部材２６０の前部とを連結する第２補強フレーム３００を備えたことにより、車両１の後部車体構造は、傾斜フレーム部１９１と、第１補強フレーム２９０と、第２補強フレーム３００と、ロアアーム支持部材２６０とで構成された側面視略三角形状を形成することができる。
【０１４０】
すなわち、車両１の後部車体構造は、傾斜フレーム部１９１と水平フレーム部１９２と第１補強フレーム２９０とで構成されたトラス構造に加えて、傾斜フレーム部１９１と第１補強フレーム２９０と第２補強フレーム３００とロアアーム支持部材２６０とで、後部車体の下部にトラス構造を構成することができる。
【０１４１】
このため、車両１の後部車体構造は、傾斜フレーム部１９１と、水平フレーム部１９２と、第１補強フレーム２９０と、第２補強フレーム３００と、ロアアーム支持部材２６０との協働によって、後部車体における剛性をより確実に向上することができる。
【０１４２】
さらに、車両１の後部車体構造は、ロアアーム支持部材２６０に作用する荷重のうち、車両上下方向の荷重成分、及び車両前後方向の荷重成分を、第１補強フレーム２９０、第２補強フレーム３００を介して、リヤサイドフレーム１９０に分散伝達させることができる。
【０１４３】
これにより、車両１の後部車体構造は、ダンパ支持部材２４０、及びロアアーム支持部材２６０にそれぞれ荷重が作用した際、車両上下方向、及び車両前後方向へのダンパ支持部材２４０の変位、及びロアアーム支持部材２６０の変位をより抑えることができる。
【０１４４】
このため、車両１の後部車体構造は、傾斜フレーム部１９１と、水平フレーム部１９２と、第１補強フレーム２９０と、第２補強フレーム３００と、ロアアーム支持部材２６０との協働によって、ダンパ支持部材２４０の支持剛性、及びロアアーム支持部材２６０の支持剛性をより確実に向上することができる。
【０１４５】
従って、車両１の後部車体構造は、ロアアーム支持部材２６０に連結される第１補強フレーム２９０、及び第２補強フレーム３００によって、リヤサスダンパ２の支持剛性、及びロアアーム４の支持剛性をさらに向上することができる。
【０１４６】
また、リヤサイドフレーム１９０が、水平フレーム部１９２の前端に配設されるとともに、アッパアーム３を揺動自在に支持するアッパアーム支持部材２５０を備えたことにより、車両１の後部車体構造は、リヤサスダンパ２だけでなく、アッパアーム３もリヤサイドフレーム１９０に直接的に連結することができる。
【０１４７】
さらに、比較的剛性の高い傾斜フレーム部１９１と水平フレーム部１９２との連結部分、すなわち、側面視略三角形のトラス構造における頂部に、アッパアーム支持部材２５０が配置されるため、車両１の後部車体構造は、アッパアーム支持部材２５０の支持剛性を向上することができる。
【０１４８】
加えて、アッパアーム３を介した荷重がアッパアーム支持部材２５０に作用した際、車両１の後部車体構造は、アッパアーム支持部材２５０に作用する荷重を、リヤサイドフレーム１９０を介して車両前方、及び車両後方に分散伝達することができる。
【０１４９】
これにより、車両１の後部車体構造は、ダンパ支持部材２４０、及びアッパアーム支持部材２５０にそれぞれ荷重が作用した際、ダンパ支持部材２４０の変位、及びアッパアーム支持部材２５０の変位を抑えることができる。このため、車両１の後部車体構造は、傾斜フレーム部１９１と、水平フレーム部１９２と、第１補強フレーム２９０との協働によって、アッパアーム支持部材２５０の支持剛性を向上することができる。
【０１５０】
従って、車両１の後部車体構造は、水平フレーム部１９２の前端にアッパアーム支持部材２５０を備えたことにより、リヤサスダンパ２の支持剛性、及びアッパアーム３の支持剛性を向上することができる。
【０１５１】
この発明の構成と、上述の実施形態との対応において、
この発明のダンパ支持部は、実施形態のダンパ支持部材２４０に対応し、
以下同様に、
補強フレーム、及び第１補強フレームは、第１補強フレーム２９０に対応し、
クロスメンバは、第２クロスメンバ２３０に対応し、
ロアアーム支持部は、ロアアーム支持部材２６０に対応し、
第２補強フレームは、第２補強フレーム３００に対応し、
アッパアーム支持部は、アッパアーム支持部材２５０に対応するが、
この発明は、上述の実施形態の構成のみに限定されるものではなく、多くの実施の形態を得ることができる。
【０１５２】
例えば、上述した実施形態において、リヤサイドフレーム１９０の傾斜フレーム部１９１と、第２クロスメンバ２３０と、第１補強フレーム２９０と、第３補強フレーム３１０とを、ダンパ支持部材２４０を介して連結したが、これに限定せず、リヤサイドフレーム１９０の傾斜フレーム部１９１と、第２クロスメンバ２３０と、第１補強フレーム２９０と、第３補強フレーム３１０とを直接的に接合するとともに、接合箇所にリヤサスダンパ２の上端を揺動自在に支持するダンパ支持部材を設ける構成としてもよい。
【０１５３】
同様に、リヤサイドフレーム１９０の傾斜フレーム部１９１と、水平フレーム部１９２と、第２補強フレーム３００とをアッパアーム支持部材２５０を介して連結したが、これに限定せず、傾斜フレーム部１９１と、水平フレーム部１９２と、第２補強フレーム３００とを直接的に接合するとともに、接合箇所にアッパアーム３の連結部分を揺動自在に支持するアッパアーム支持部材を設ける構成としてもよい。
【０１５４】
さらに、センターピラー１６０のピラー下部フレーム１６１と、第３補強フレーム３１０とをピラー連結部材１６４を介して連結したが、これに限定せず、センターピラー１６０のピラー下部フレーム１６１と、第３補強フレーム３１０とを直接的に接合してもよい。
【０１５５】
また、ピラー部材としてセンターピラー１６０を用いて説明したが、これに限定せず、サイドシル１１０の後端とルーフサイドレール１４０の後端とを車両上下方向に連結するピラー部材であれば、所謂Ｃピラーであってもよい。  
また、センターピラー１６０を、ピラー下部フレーム１６１とピラー上部フレーム１６２とで構成したが、これに限定せず、１つのアルミ合金製の押出し部材で構成されたセンターピラーとしてもよい。
【０１５６】
また、ダブルウィッシュボーン式リヤサスペンションの車両１としたが、これに限定せず、例えば、ストラット式リヤサスペンションの車両であってもよい。この場合、アッパアーム支持部材２５０を不要にして、傾斜フレーム部１９１と、水平フレーム部１９２と、第２補強フレーム３００とを連結部材を介して連結する、または直接的に接合する。
【０１５７】
また、サイドシル１１０、トンネルフレーム１２１、センターピラー１６０、フロアクロスメンバ１８０、リヤサイドフレーム１９０、リヤピラー２００、第１クロスメンバ２２０、第２クロスメンバ２３０、後側クロスメンバ２７０、前側クロスメンバ２８０、第１補強フレーム２９０、第２補強フレーム３００、第３補強フレーム３１０、及び第４補強フレーム３２０の閉断面形状は、上述した実施形態の閉断面形状に限定せず、適宜の閉断面形状としてもよい。
【０１５８】
また、各フレームをアルミ合金製とし、ダンパ支持部材２４０、アッパアーム支持部材２５０、及びロアアーム支持部材２６０をアルミダイキャスト製としたが、これに限定せず、適宜の金属材料製としてもよい。
【０１５９】
また、フロアトンネル１２０の上面部分を、２つのトンネルフレーム１２１で構成したが、これに限定せず、フロアトンネル１２０の上面部分を、１つのトンネルフレームで構成してもよい。  
また、センターピラー１６０を介してルーフサイドレール１４０とリヤピラー２００とを連結したが、ルーフサイドレール１４０とリヤピラー２００とを直接的に接合するとともに、接合箇所にセンターピラーを接合する構成としてもよい。
【符号の説明】
【０１６０】
１…車両
２…リヤサスダンパ
３…アッパアーム
４…ロアアーム
１１０…サイドシル
１９０…リヤサイドフレーム
１９１…傾斜フレーム部
１９２…水平フレーム部
２３０…第２クロスメンバ
２４０…ダンパ支持部材
２５０…アッパアーム支持部材
２６０…ロアアーム支持部材
２９０…第１補強フレーム
３００…第２補強フレーム
【図１】
2019123456.tif 000003
【図２】
2019123456.tif 000004
【図３】
2019123456.tif 000005
【図４】
2019123456.tif 000006
【図５】
2019123456.tif 000007
【図６】
2019123456.tif 000008
【図７】
2019123456.tif 000009